(57)【特許請求の範囲】
【請求項１】
環状の搬送用係止部（２）と、買い物袋の手提げ部分を保持する買い物袋保持部（３）と、前記搬送用係止部（２）と買い物袋保持部（３）とを連結し前記搬送用係止部（２）の円平面に対して買い物袋保持部（３）を特定の角度で固定可能な連結部（４）とを有し、
前記連結部（４）には、搬送用係止部（２）と買い物袋保持部（３）を連結固定する連結棒（４１）を有し、この連結棒（４１）の買い物袋保持部（３）側の係止部（４１ｂ）は、貫通孔（３１）を有する買い物袋保持部（３）を担持すると共に、この連結棒（４１）に形成された凸部（４２）と前記貫通孔（３１）に形成されている複数の凹部（３２）とが嵌め合い構造をなし、買い物袋保持部（３）の回転を所定の位置で規制するとともに、買い物袋保持部（３）を凸部（４２）が形成されていない位置まで持ち上げることで買い物袋保持部（３）が自由に回動できる買い物袋ホルダー。
【発明の詳細な説明】
【０００１】
【発明の属する技術分野】
本発明は、スーパーやコンビニエンスストアーなどで商品を購入した際に、その購入した商品をビニール袋やポリ袋などに収容し、携帯するときに使用する買い物袋ホルダーに関する。
【０００２】
【従来の技術】
スーパーマーケットなどで商品を購入する場合、通常ポリエチレンの袋やビニール袋などに商品を入れ、これを携帯して家に持ち帰る。その際、商品が入ったポリエチレン製等の袋（以下ポリ袋と称する。）の細い手提げ部を手に持つか腕に引っかけて携帯するようにしている。
【０００３】
しかしながら、従来のポリ袋は、大量の商品を購入したり、重たい商品を購入した場合でも、細い手提げ部を手に持つか腕に引っかけて持ち歩くしかなく、その細い手提げ部が手や腕に食い込み、手や腕が痛くて長く持ち歩くことが大変苦痛であった。
【０００４】
また、重い荷物を手に提げた場合、かなりの握力と持久力とを要し、力の弱い女性やお年寄りには辛い作業である。一方、これを腕に引っ掛けるとすると、ポリ袋が落ちないように腕を曲げることになるが、これまた腕力を要するとと共に、ポリ袋を重心から離れた位置に保持することになり、体に無理な姿勢を強要することとなり、歩行も楽ではない。
【０００５】
【発明が解決しようとする課題】
本発明の目的は、大量の商品や、重たい商品を収納した際に、ポリ袋の細い手提げ部が手や腕に食い込むのを防止し、しかも無理な姿勢をとらずに容易に搬送できる買い物袋ホルダーを提供することである。
【０００６】
【課題を解決するための手段】
上記目的は、以下の本発明の構成により達成される。
（１）  環状の搬送用係止部（２）と、買い物袋の手提げ部分を保持する買い物袋保持部（３）と、前記搬送用係止部（２）と買い物袋保持部（３）とを連結し前記搬送用係止部（２）の円平面に対して買い物袋保持部（３）を特定の角度で固定可能な連結部（４）とを有し、
前記連結部（４）には、搬送用係止部（２）と買い物袋保持部（３）を連結固定する連結棒（４１）を有し、この連結棒（４１）の買い物袋保持部（３）側の係止部（４１ｂ）は、貫通孔（３１）を有する買い物袋保持部（３）を担持すると共に、この連結棒（４１）に形成された凸部（４２）と前記貫通孔（３１）に形成されている複数の凹部（３２）とが嵌め合い構造をなし、買い物袋保持部（３）の回転を所定の位置で規制するとともに、買い物袋保持部（３）を凸部（４２）が形成されていない位置まで持ち上げることで買い物袋保持部（３）が自由に回動できる買い物袋ホルダー。
【０００７】
【作用】
本発明の買い物袋ホルダーは、腕に通したり、手に握ったりすることのできる環状の搬送用係止部と、上記環状の搬送保持部に連結され買い物袋の手提げ部分を係止ないし保持する買い物袋保持部とを有する。このため、直接買物袋の手提げ部分を腕や手に持つ必要がなくなり、買い物袋の細い手提げ部が手や腕に食い込むのを防止することができる。また、好ましくは環状の搬送保持部の内周部にゴム、ウレタン、発泡性プラスチック等の弾性部材を装着することにより、大量の荷物や、重たい荷物を搬送する際にも容易に持ち運べることになる。
【０００８】
また、環状の搬送用係止部と買い物袋用保持部とを連結する連結部は、両者を特定の角度で固定することができるので、搬送により最適な位置に買い物袋を保持することができ、搬送者への負担が軽くなる。
【０００９】
【発明の実施の形態】
以下、本発明の買い物袋ホルダーについて図を参照しつつ説明する。図１は本発明の買い物袋ホルダーの１例を示した斜視図である。図において、買い物袋ホルダー１は、環状の搬送用係止部２と、買物袋の手提げ部分を保持ないし係止する買い物袋保持部３と、前記搬送用係止部２と、買い物袋保持部３とを連結し前記搬送用係止部２の円平面に対して買い物袋保持部３を特定の角度で固定可能な連結部４とを有し、前記連結部４には、搬送用係止部２と買い物袋保持部３を連結固定する連結棒４１を有し、この連結棒４１の買い物袋保持部３側の係止部４１ｂは、貫通孔３１を有する買い物袋保持部３を担持すると共に、この連結棒４１に形成された凸部４２と前記貫通孔３１に形成されている複数の凹部３２とが嵌め合い構造をなし、買い物袋保持部３の回転を所定の位置で規制するとともに、買い物袋保持部３を凸部４２が形成されていない位置まで持ち上げることで買い物袋保持部３が自由に回動できるものである。
【００１０】
環状の搬送用係止部２は、図示例では帯状の板を環状に形成したような形状であり、その大きさは手に持ったり、腕に通したりするのに丁度良い大きさに設定される。具体的には、直径８０〜１６０ｍｍ程度、幅２０〜６０ｍｍ程度、厚さ１〜２０ｍｍ程度である。
【００１１】
搬送用係止部自体の材質としては、必要とされる強度を有するものであれば特に限定されるものではなく、鉄、ステンレススチール、銅合金等の金属材料、塩化ビニール、アクリル、ＳＢＳ等の樹脂材料等を用いることが可能である。
【００１２】
また、その内側には、手や腕を保護するために、発泡性ゴム、ウレタン等の弾性部材を設けてもよい。
【００１３】
さらに、その形状も帯状の板を曲げたものであっても良いし、断面円形または中空の円筒状であっても良い。さらに、板状であっても、持ちやすいように両側端が内側に丸められたような形状となっていても良い。
【００１４】
買い物袋保持部３は、買い物袋の一対の手提げ部分を引っ掛けたり、止めたりすることができる形状を有していればその形状は特に限定されるものではないが、図示例では、両側に湾曲した腕部３ａを有する断面錨状に形成されている。この腕部３ａは、買い物袋の手提げ部分を引っかけやすいように、Ｕ字状に形成され、かつ容易に外れないように、Ｕ字部分のＩ部の一部がくびれたような形状となっている。
【００１５】
買い物袋保持部３は、上記のような形状に限定されるものではなく、買い物袋の手提げ部分を引っ掛けたり、止めたりすることができる形状であればよい。従って、例えば腕部３ａを帯状の軟質部材の一端をホックやスナップで止められるようにし、これをＵ字状に曲げた中に手提げ部分を収納し、ホックやスナップで止めて固定するようなものでも良い。
【００１６】
買い物袋保持部３の大きさとしては、特に限定されるものではなく、買い物袋の手提げ部分を固定しうる大きさであればよい。しかしながら、携行することを考えると、買い物袋の固定に支障のない範囲でなるべく小さい形状のものが好ましい。
【００１７】
連結部４としては、搬送用係止部２と、買い物袋保持部３とをとを所定の角度、つまり位置関係で連結・固定しうるものであればよい。具体的には、図２〜４に示すような構造とするとよい。ここで、図２は連結部の拡大側面図、図３は一部斜視図、図４は一部平面図である。
【００１８】
連結部４は、この図示例では一対の係止部４１ａ、４１ｂを備えた、連結棒４１を有する。連結棒４１は、搬送用係止部２と、買い物袋保持部３とをそれぞれ貫通し、係止部４１ａ、４１ｂにより、それぞれこれらに固定される。連結棒の材質としては、搬送用係止部２と、買い物袋保持部３とを連結し、なおかつ買い物袋に収納される商品の重みに耐えうるだけの強度を有することが必要である。具体的には、上記搬送用係止部で挙げたものと同様のものを用いればよい。
【００１９】
通常、搬送用係止部２における係止部４１ａは、溶接、ハンダ付、ロー付、接着などにより、動かないように強固に連結棒４１を搬送用係止部２に固定している。
【００２０】
一方、買い物袋保持部３における係止部４１ｂは、大径の頭部状をなし、この部分に貫通孔３１を通して買い物袋保持部３を坦持させることにより固定される。このとき、貫通孔３１の大きさを連結棒４１の軸径より大きめにしてある程度遊びを持たせるようにすると、買い物袋保持部３がある程度自由に揺動でき、搬送時における手や腕への反動を軽減できる。さらに、連結棒４１は、係止部４１ｂ近傍に凸部４２を有する。この凸部４２は、貫通孔３１に形成されている凹部３２と嵌め合い構造をなし、買い物袋保持部３の回転を所定の位置で規制することにより、所定の角度で搬送用係止部２と、買い物袋保持部３とを連結固定できるようになっている。
【００２１】
前記凸部４２は、連結棒４１の買い物袋保持部３上にある程度突出した高さにまで形成されているが、買い物袋保持部３を持ち上げると、凸部４２が形成されていない位置まで貫通孔３１が達して、買い物袋保持部３が自由に回動できるようになっている。また、買い物袋保持部３は、通常バネ４３により下方にに付勢されているため、このバネ４３に逆らって押し上げられたときにのみ回動できるようになっている。
【００２２】
このように、凸部４２と凹部３２を有することにより、搬送用係止部２に対して買い物袋保持部３を任意の角度・位置に係止させることができる。また、凸部４２に対応した凹部３２を複数形成しておけば、種々の角度・位置に固定することができる。図示例では、搬送用係止部２に対して買い物袋保持部３を平行、鉛直方向のいずれかに固定できるようになっている。ここで平行とは、環状の搬送用係止部２の円平面に対し買い物袋保持部３の両腕部３ａを結ぶ線が略平行となるような方向であり、鉛直方向とはこれから連結棒の軸を中心に９０°回転した方向である。この例において、平行、鉛直方向は必ずしも９０°異なっている必要はなく、９０±１０°程度の範囲内にあればよい。
【００２３】
環状の搬送用係止部２に対する買い物袋保持部３の角度を９０°変化させることにより、より買い物袋を保持しやすい状態とすることができ、搬送者の負担を軽減することができる。すなわち、環状の搬送用係止部２に対する買い物袋保持部３の角度を９０°変化させることにより、買い物袋１０は、図５（ａ）または（ｂ）に示されるような状態に保持される。このとき搬送用係止部２の環内には、搬送者の腕が通されているとすると、買い物袋１０は、搬送者の正面から見て図５（ａ）または（ｂ）のいずれかの状態で保持されることとなる。
【００２４】
ここで、買い物袋を直接腕に通して運ぶ場合、買い物袋保持部の環内に腕を通すこととなるため、図５（ｂ）に示すような状態に保持される。ところが、このような状態で保持しようとすると、買い物袋は横幅方向に広がるため、図６（ａ）に示すように、より体側から離した位置になるように腕を曲げて保持することとなり、腕や体の軸心に無理な力が掛かり、搬送者に多大な負担を強いることとなる。一方、これを９０°回転して図５（ａ）に示すように保持した場合、買い物袋の横幅方向の広がりは小さく、図６（ｂ）に示すように、より搬送者に近い位置で保持することができ、搬送者への負担を大幅に低減することができる。
【００２５】
なお、買い物袋の回転位置は、必ずしも９０°である必要はなく、搬送者の癖や体型に合わせて最適な位置を選べるようにしても良い。このような場合には、複数の凹部と凸部の組み合わせから最適位置を選択して固定できるようなもの等周知の位置固定手段を用いればよい。
【００２６】
【発明の効果】
以上のように本発明によれば、大量の商品や、重たい商品を収納した際に、ポリ袋の細い手提げ部が手や腕に食い込むのを防止し、しかも無理な姿勢をとらずに容易に搬送できる買い物袋ホルダーを提供することができる。
【図面の簡単な説明】
【図１】本発明の買い物袋ホルダーの構成例を示した外観斜視図である。
【図２】本発明の買い物袋ホルダーの連結部の拡大側面図である。
【図３】本発明の買い物袋ホルダーの一部斜視図である。
【図４】本発明の買い物袋ホルダーの一部平面図である。
【図５】連結部の角度による買い物袋の保持状態を示した図であって、（ａ）は搬送用係止部２に対して買い物袋保持部３を平行にした状態を示した図、（ｂ）は鉛直にした状態を示した図である。
【図６】搬送者が買い物袋ホルダーを用いて買い物袋を保持した状態を示した図であって、（ａ）は搬送用係止部２に対して買い物袋保持部３を鉛直方向にして保持した状態を示した図、（ｂ）は平行方向にして保持した状態を示した図である。
【符号の説明】
１    買い物袋ホルダー
２    搬送用係止部
３    買い物袋保持部
４    連結部
【図１】
0003546030.tif 000002
【図２】
0003546030.tif 000003
【図３】
0003546030.tif 000004
【図４】
0003546030.tif 000005
【図５】
0003546030.tif 000006
【図６】
0003546030.tif 000007